(57)【要約】【課題】  プラテンガラスの組付け性を向上させることができる画像読取装置を提供する。【解決手段】  天板２８０の開口部２８０ａに配されたプラテンガラス２０を通じて画像を読み取る画像読取手段２１を収納する読取載置台ケーシング２５と、該読取載置台ケーシング２５の正面側に取付けられ、操作パネル４が配される操作パネルカバー２６と、を具備してなる画像読取装置１において、操作パネルカバー２６の開口部２８０ａ側に延伸させて形成した延伸部２６６に、プラテンガラス２０の正面側端部が載置される。【選択図】  図５
2007049340.tif 000002
【特許請求の範囲】
【請求項１】
天板の開口部に配されたプラテンガラスを通じて画像を読み取る画像読取手段を収納する読取載置台ケーシングと、
該読取載置台ケーシングの正面側に取付けられ、操作パネルが配される操作パネルカバーと、
を具備してなる画像読取装置において、
前記操作パネルカバーの前記開口部側に延伸させて形成した延伸部に、前記プラテンガラスの正面側端部が載置されることを特徴とする画像読取装置。
【請求項２】
前記プラテンガラスの正面側端部の上面が、前記読取載置台ケーシングの天板と接することを特徴とする請求項１に記載の画像読取装置。
【請求項３】
前記操作パネルカバーの延伸部が、前記プラテンガラスの載置位置を規制する規制手段を有することを特徴とする請求項１又は２に記載の画像読取装置。
【請求項４】
前記読取載置台ケーシングが、底板及び側壁が一体的に形成され、前記操作パネルカバーが取付けられるボトムシャーシと、前記天板を有する読取載置台カバーと、を備えてなることを特徴とする請求項１から３の何れか１項に記載の画像読取装置。
【請求項５】
前記プラテンガラスの背面側端部が、前記読取載置台ケーシングの天板の下面に形成された係止部に係止されることを特徴とする請求項１から４の何れか１項に記載の画像読取装置。
【発明の詳細な説明】
【技術分野】
【０００１】
本発明は、画像読取装置、特に原稿が載置されるプラテンガラスを天面に備える画像読取装置に関するものである。
【背景技術】
【０００２】
コピー機、ファクシミリ機等の画像読取装置では、一般に、読取載置台に載置された原稿に対して画像読取手段を走査して原稿の画像を読み取るようになっている。例えば、図７に示す従来の画像読取装置９００の読取載置台９０１においては、その天面にプラテンガラス９０２が配設され、該プラテンガラス９０２上に載置された原稿を押圧し固定する原稿押えカバー９０３を開閉自在に設け、正面側に操作パネル９０４を設けている。画像読取装置９００においては、読取載置台９０１のプラテンガラス９０２上に原稿を載置し、原稿押えカバー９０３を閉じた状態で操作パネル９０４を操作して、読取載置台９０１内のＣＣＤ（Charge Coupled Device）等の画像読取手段により原稿の画像を読み取ることができる。このようにして読み取られた画像データは、インタフェースを介してコンピュータに送信されたり、画像記録部により記録用紙に記録されたり、送信部により電送される。
【０００３】
このような画像読取装置９００において、プラテンガラス９０２は、読取載置台９０１の天板の下面に貼り付けられている（特許文献１参照）。例えば図８に示すように、読取載置台９０１のケーシング９０６がボトムシャーシ９０７と読取載置台カバー９０８からなり、読取載置台カバー９０８の天板の下面にプラテンガラス９０２が貼り付けられている。プラテンガラス９０２は、まず、読取載置台カバー９０８の裏面を上に向けた状態で、その背面側端部が係止部９０８ａに引っ掛けられて係止され、その正面側端部が両面テープによって開口部９０９の近傍に貼り付けられる。そして、読取載置台カバー９０８を、裏表反転させて、ボトムシャーシ９０７に上方から取付け、ネジ（不図示）により固定する。このとき、プラテンガラス９０２の正面側端部は、ボトムシャーシ９０７に形成されたリブ９０７ａにより支持される。
【特許文献１】特開平７―３０７８４３号公報
【発明の開示】
【発明が解決しようとする課題】
【０００４】
しかしながら、前記従来の画像読取装置９００においては、プラテンガラス９０２を貼り付けた後に読取載置台カバー９０８を裏表反転させるので、組付け作業が煩雑となり、プラテンガラスの組付け性が劣るという問題があった。また、両面テープによりプラテンガラス９０２を読取載置台カバー９０８に貼り付けるので、組付け時に両面テープが剥がれる恐れがあるとともに、貼り付け位置の精度が低く再組付けを必要とする恐れがあるので、組付け効率に劣り、プラテンガラスの組付け性が劣るという問題があった。また、リサイクル時に両面テープを剥がす必要があるので、リサイクルが困難であるという問題があった。また、原稿の画像を読み取るためにプラテンガラス９０２の下方を走査する画像読取手段が内部に配設されるボトムシャーシ９０７の内側にリブ９０７ａが形成されているので、ボトムシャーシ９０７、ひいては画像読取装置９００が大型化するという問題があった。
【０００５】
本発明は、かかる課題を解決すべくなされたものであり、プラテンガラスの組付け性を向上させることができる画像読取装置を提供することを目的とする。
【課題を解決するための手段】
【０００６】
当該目的を達成するために、請求項１に記載の画像読取装置は、天板の開口部に配されたプラテンガラスを通じて画像を読み取る画像読取手段を収納する読取載置台ケーシングと、該読取載置台ケーシングの正面側に取付けられ、操作パネルが配される操作パネルカバーと、を具備してなる画像読取装置において、前記操作パネルカバーの前記開口部側に延伸させて形成した延伸部に、前記プラテンガラスの正面側端部が載置されることを特徴としている。
【０００７】
請求項２に記載の画像読取装置は、請求項１に記載の画像読取装置において、前記プラテンガラスの正面側端部の上面が、前記読取載置台ケーシングの天板と接することを特徴としている。
【０００８】
請求項３に記載の画像読取装置は、請求項１又は２に記載の画像読取装置において、前記操作パネルカバーの延伸部が、前記プラテンガラスの載置位置を規制する規制手段を有することを特徴としている。
【０００９】
請求項４に記載の画像読取装置は、請求項１から３の何れか１項に記載の画像読取装置において、前記読取載置台ケーシングが、底板及び側壁が一体的に形成され、前記操作パネルカバーが取付けられるボトムシャーシと、前記天板を有する読取載置台カバーと、を備えてなることを特徴としている。
【００１０】
請求項５に記載の画像読取装置は、請求項１から４の何れか１項に記載の画像読取装置において、前記プラテンガラスの背面側端部が、前記読取載置台ケーシングの天板の下面に形成された係止部に係止されることを特徴としている。
【発明の効果】
【００１１】
請求項１に記載の画像読取装置によれば、プラテンガラスの正面側端部を操作パネルカバーの延伸部に載置させた状態でプラテンガラスを取付けることができるので、前記従来の画像読取装置９００のようにプラテンガラス９０２を貼り付けた読取載置台カバー９０８の裏表を反転させる作業を必要としないため、プラテンガラスの組付け性を向上させることができる。また、両面テープを用いる必要がないため、組付け時に両面テープの剥がれによる組付け効率の低下が発生せず、プラテンガラスの組付け性を向上させることができる。また、リサイクル時に両面テープを剥がす必要がないので、リサイクルを容易化させることができる。また、前記従来の画像読取装置９００のようにリブ９０７ａをボトムシャーシ９０７に形成する必要がないため、ボトムシャーシ、ひいては画像読取装置を小型化させることが可能となる。また、操作パネルが配される操作パネルカバーを、プラテンガラスの正面側端部を載置させる部品として用いるので、部品を追加することなく、プラテンガラスの組付け性を向上させること等ができる。
【００１２】
請求項２に記載の画像読取装置によれば、プラテンガラスの正面側端部が操作パネルカバーの延伸部と読取載置台ケーシングの天板とに挟持されるので、プラテンガラスが安定的に固定され、プラテンガラスの組付け性を向上させることができる。
【００１３】
請求項３に記載の画像読取装置によれば、プラテンガラスの載置位置が操作パネルカバーの規制手段によって規制されるので、プラテンガラスの組付け精度を向上させることができる。
【００１４】
請求項４に記載の画像読取装置によれば、プラテンガラスの正面側端部が載置される延伸部を有する操作パネルカバーと、プラテンガラスが配される天板を有する読取載置台カバーとが、共にボトムシャーシに取付けられるので、プラテンガラスの組付け精度を向上させることができる。
【００１５】
請求項５に記載の画像読取装置によれば、プラテンガラスの背面側端部が読取載置台ケーシングの係止部に係止されるので、プラテンガラスの組付け精度を向上させることができる。
【発明を実施するための最良の形態】
【００１６】
本発明の実施の形態に係る画像読取装置１は、コピー機能とファクシミリ機能とを兼ね備えた複合機であり、その上部を図１に示すように、原稿が載置される読取載置台２と、該原稿を押圧して固定するために読取載置台２に対して開閉可能に設けられた原稿押えカバー３と、読取載置台２の正面側に設けられ、原稿の読取り開始、コピー枚数、送信先等を入力するための操作パネル４と、を具備してなる。また、画像読取装置１には、記録用紙に画像を記録する画像記録部、画像を電送するための送信部が内蔵されており、読取載置台２の下方には、読取画像を記録するための記録用紙を供給する給紙カセット５が配設されている。さらに、原稿押えカバー３内にはオート・ドキュメント・フィーダ（以下、「ＡＤＦ」という。）が装備されており、本画像読取装置１は、読取載置台２に原稿を載置してフラットベッドスキャナ（以下、「ＦＢＳ」という。）として画像を読み取ることと、ＡＤＦを用いて画像を読み取ることの双方が可能である。なお、本実施の形態における画像読取装置１の構成は一例であり、また、ＡＤＦが必ず装備される必要もない。
【００１７】
読取載置台２内には、図２に示すように、読取ユニット（画像読取手段）２１が収納されている。該読取ユニット２１は、プラテンガラス２０と平行方向に走査されるフルレートキャリッジ２２及びハーフレートキャリッジ２３と、ＣＣＤユニット２４と、を具備してなる。フルレートキャリッジ２２は、キャリッジ本体２２０に、原稿に光を照射するための光源２２１と、原稿からの反射光を走査方向へ反射してハーフレートキャリッジ２３へ導くための反射ミラー２２２と、を具備してなる。ハーフレートキャリッジ２３は、キャリッジ本体２３０に、フルレートキャリッジ２２からの反射光をＣＣＤユニット２４へ導く２枚の反射ミラー２３１，２３２を具備してなる。このように構成されたフルレートキャリッジ２２及びハーフレートキャリッジ２３が、図示しないガイドレールにより夫々摺動可能に担持され、ベルト駆動機構やワイヤ駆動機構等の周知の駆動機構により、フルレートキャリッジ２２の走査速度に対して略１／２の速度でハーフレートキャリッジ２３が走査されて、プラテンガラス２０の下方を水平方向に一定の走査距離だけフルレートキャリッジ２２が移動する間に、ハーフレートキャリッジ２３は、その約半分の走査距離だけ移動する。このように構成されたフルレートキャリッジ２２及びハーフレートキャリッジ２３がプラテンガラス２０の下方を原稿と平行に移動して原稿の画像をスキャンし、フルレートキャリッジ２２の光源２２１から原稿に光が照射され、該原稿からの反射光Ｒが反射ミラー２２２により水平方向に反射され、さらに、ハーフレートキャリッジ２３の反射ミラー２３１により鉛直下方へ反射された後、反射ミラー２３２により再び水平方向に反射されることにより、ＣＣＤユニット２４へ導かれるようになっている。ＣＣＤユニット２４は、反射光Ｒを収束する結像レンズや収束光を電気信号に変換するためのイメージセンサ等を具備してなる所謂縮小光学系のＣＣＤユニットであり、該ＣＣＤユニット２４により、原稿からの反射光が電気信号として出力されるようになっており、電気信号に変換された画像は、アナログ／デジタル変換、シェーディング処理等が施された後、プリンタ等の画像記録部により記録用紙に記録され、又はＣＯＤＥＣ等の送信部により電送される。
【００１８】
一方、原稿押えカバー３内に装備されたＡＤＦは、原稿トレイ３０に載置された原稿を搬送路へ順次繰り込み、ペーパガイド３１に沿って上方から下方へＵターンするように原稿を反転させて読取位置Ｐに搬送し、該読取位置Ｐを通過する際に読取ユニット２１により原稿の画像が読み取られて、原稿トレイ３０の下方の排紙トレイ３２へ排出するようになっている。
【００１９】
読取載置台２は、図３に示すように、プラテンガラス２０と、該プラテンガラス２０が配され、前記読取ユニット２１（図２参照）を収納する読取載置台ケーシング２５と、操作パネル４が配される操作パネルカバー２６と、を具備している。そして、図４に示すように、読取載置台ケーシング２５は、前記読取ユニット２１が収納される読取部収納部２５ａを構成する底板２７０及び側壁２７１が一体的に形成されたボトムシャーシ２７と、読取部収納部２５ａを封止する読取載置台カバー２８と、からなる。読取部収納部２５ａは概ね直方体の筐体をなしており、該読取部収納部２５ａ内には、前記読取ユニット２１の他、モータ等の駆動源及び駆動伝達ユニットや電気系統をなす基板、配線等も収納可能であり、これらが画像読取装置１においてＦＢＳとして機能する。また、操作キーや液晶パネル等からなる操作パネル４に係る基板やスピーカ等が収納される操作部収納部２５ｂが操作パネル４の下方に封止されるように、ボトムシャーシ２７は操作部収納部２５ｂを構成する底板２７０及び側壁２７１も一体的に形成されている。操作部収納部２５ｂは、読取載置台ケーシング２５の正面側に設けられた筐体であり、操作パネルカバー２６により封止される。なお、図４乃至図６においては、操作パネル４、読取部収納部２５ａ及び操作部収納部２５ｂに配設される読取ユニット２１、基板やスピーカ等を説明の便宜のため省略している。
【００２０】
ボトムシャーシ２７は、図４に示すように、読取部収納部２５ａ及び操作部収納部２５ｂを構成する底板２７０及び側壁２７１等が一体的に形成されたものであり、例えば、ＡＢＳやハイインパクトポリスチレン等の合成樹脂からなる成形品である。なお、読取部収納部２５ａを構成する底板及び側壁等からなるボトムシャーシと、操作部収納部２５ｂを構成する底板及び側壁等からなるボトムシャーシと、が分割して形成されるものであってもよい。
【００２１】
ボトムシャーシ２７の底板２７０は、読取部収納部２５ａの底板となる矩形部分の正面側に操作部収納部２５ｂの底板となる矩形部分が正面方向に突出するように形成された平板状のものであり、側壁２７１は、該底板２７０の周縁から上方に立設されており、その上端には、読取載置台カバー２８及び操作パネルカバー２６と嵌合させるための相欠き２７１ａが形成されている。また、ボトムシャーシ２６の読取部収納部２５ａと操作部収納部２５ｂとの境界に沿って底板２７０から上方に垂直壁下部２７２が立設されている。該垂直壁下部２７２も、底板２７０及び側壁２７１等と一体形成されたものであり、その両端は側壁２７１と連続している。垂直壁下部２７２の上端には、読取載置台カバー２８と嵌合させるための相欠き２７２ａが形成されている。また、垂直壁下部２７２の操作部収納部２５ｂ側には、操作パネルカバー２６をネジ止めするためのネジ受け部２７３、及び補強リブ２７４が適宜形成されている。また、底板２７０の読取部収納部２５ａの底板となる各隅部には、読取載置台カバー２８をネジ止めするためのネジ受け部２７５が形成されている。
【００２２】
ボトムシャーシ２７の背面側には、前記原稿押えカバー３（図３参照）を開閉可能に取り付けるヒンジ２９を嵌挿するためのヒンジ部材支持孔２７６が形成されている。なお、ボトムシャーシ２７には、更にモータブラケット、ガイドレール等を固定するための嵌合部、補強のための凹凸や電気配線のための貫通孔が適宜形成されているが、これら周知の構成は一例且つ任意のものである。
【００２３】
読取載置台カバー２８は、ボトムシャーシ２７の読取部収納部２５ａを構成する部分を封止するものであり、ボトムシャーシ２７の底板２７０の読取部収納部２５ａ相当部分と略同形状の矩形の天板２８０に、プラテンガラス２０を配設するための矩形の開口部２８０ａが形成されている。天板２８０の周縁から下方へ側壁２８１が突設されており、その下端には、ボトムシャーシ２７の側壁２７１と嵌合するための相欠き２８１ａが形成されている。
【００２４】
また、図５に示すように、読取載置台カバー２８の正面側（操作部収納部２５ｂ側）の端部２８ａ近傍には、ボトムシャーシ２７の垂直壁下部２７２と継合する垂直壁上部２８２が天板２８０から下方へ突設されており、その下端には、ボトムシャーシ２７の垂直壁下部２７２と嵌合するための相欠き２８２ａが形成されている。これら天板２８０、側壁２８１、及び垂直壁上部２８２等も、ボトムシャーシ２７と同様に一体的に形成されて読取載置台カバー２８をなしている。さらに、読取載置台カバー２８の正面側の端部２８ａは、操作部収納部２５ｂに相当する部分の側壁２８１の一部が切り欠かれることにより、該端部２８ａから下方へ突出した凸条２８３が形成されている。また、垂直壁上部２８２と凸条２８３との間には、垂直壁上部２８２に沿って、垂壁２８４が天板２８０から下方へ突設されている。
【００２５】
また、図６に示すように、天板２８０の開口部２８０ａの背面側近傍の下面に、プラテンガラス２０の背面側端部を係止するための係止部２８５が形成されている。該係止部２８５は、天板２８０の下面から下方へ突出した垂直壁２８５ａと、該垂直壁２８５ａの下端から開口部２８０ａ側に上方へ傾斜した傾斜部２８５ｂと、から形成されており、該傾斜部２８５ｂの上端面２８５ｃは水平になっている。係止部２８５の水平な上端面２８５ｃと天板２８０の下面との間の距離はプラテンガラス２０の厚さより僅かに大きく、プラテンガラス２０の背面側端部を上端面２８５ｃに載置させて、プラテンガラス２０を読取載置台カバー２８に係止させる。また、プラテンガラス２０を基準載置位置に載置した際に、該プラテンガラス２０の背面側端面と垂直壁２８５ａとの間には所定の隙間Ｓ１を有し、プラテンガラス２０の背面側方向への載置位置のずれをＳ１以下に規制している。
【００２６】
また、図４に示すように、天板２８０の各隅部には、ボトムシャーシ２７のネジ受け部２７５に対応して、貫通孔２８６が形成されている。さらに、天板２８０の背面側には、前記ヒンジ部材支持孔２７６に対応する貫通孔２８７が形成され、ヒンジ２９をヒンジ部材支持孔２７６に嵌挿可能となっている。
【００２７】
操作パネルカバー２６は、図３に示すように、操作パネル４を配するものであり、図４に示すように、ボトムシャーシ２７の操作部収納部２５ｂを構成する部分を封止するものでもある。操作パネルカバー２６は、ボトムシャーシ２７の底板２７０の操作部収納部２５ｂ相当部分と略同形状の矩形の天板２６０に、操作キーを出没させるための貫通孔２６０ａが適宜穿設され、天板２６０の周縁から下方向に側壁２６１が突設されており、その下端には、ボトムシャーシ２７の側壁２７１と嵌合するための相欠き２６１ａが形成されている。これら天板２６０及び側壁２６１等も、ボトムシャーシ２７と同様に一体的に形成されて操作パネルカバー２６をなしている。また、操作パネルカバー２６の読取部収納部２５ａ側の背面側端部２６０ｂに沿って、読取載置台カバー２７の凸条２７３と嵌合する凹条２６３が天板２６０の上面に形成されている。また、天板２６０の背面側端部２６０ｂには、その後縁から背面側方向へ水平部２６４が突設され、該水平部２６４には、ボトムシャーシ２７のネジ受け部２７３に対応して貫通孔２６５が形成されている。
【００２８】
また、水平部２６４には、読取載置台カバー２８の開口部２８０ａ近傍まで延伸する片状の延伸部２６６が複数延設されており、該延伸部２６６の開口部２８０ａ側の端部には、水平面２６７ａを備えた段差（規制手段）２６７が形成されている。該段差２６７は、図５に示すように、その水平面２６７ａと読取載置台カバー２８の天板２８０との間の距離がプラテンガラス２０の厚さと略等しく、プラテンガラス２０の正面側端部が水平面２６７ａに載置されるとともに、プラテンガラス２０の正面側端部の上面が天板２８０の下面と接することにより、プラテンガラス２０の正面側端部が操作パネルカバー２６の延伸部２６６と読取載置台カバー２８の天板２８０とに挟持されて安定的に固定される。また、プラテンガラス２０を基準載置位置に載置した際に、該プラテンガラス２０の正面側端面と段差２６７の垂直面２６７ｂとの間に所定の隙間Ｓ２を有し、プラテンガラス２０の正面側方向への載置位置のずれをＳ２以下に規制している。なお、段差２６７は、プラテンガラス２０の横方向の載置位置をも規制するものであってもよい。
【００２９】
なお、プラテンガラス２０を基準載置位置に載置した際に、図６に示すように、その背面側端面と係止部２８５の垂直壁２８５ａとの間に隙間Ｓ１を有し、プラテンガラス２０は基準載置位置よりＳ１だけ背面側にずれて固定される可能性がある。しかしながら、このような場合であっても、図５に示すように、該プラテンガラス２０の正面側端面と段差２６７の水平面２６７ａの背面側端面との間隔Ｔ１が少なくともＳ１以上確保されており、プラテンガラス２０は安定的に固定される。また同様に、プラテンガラス２０を基準載置位置に載置した際に、図５に示すように、その正面側端面と段差部２６７の垂直壁２６７ｂとの間に隙間Ｓ２を有し、プラテンガラス２０は基準載置位置よりＳ２だけ正面側にずれて固定される可能性がある。しかしながら、このような場合であっても、図６に示すように、該プラテンガラス２０の背面側端面と係止部２８５の水平な上端面２８５ｃの背面側端面との間隔Ｔ２が少なくともＳ２以上確保されており、プラテンガラス２０は安定的に固定される。
【００３０】
以下、プラテンガラス２０、読取載置台ケーシング２５、及び操作パネルカバー２６の組付け手順について図３乃至図５に基づいて説明する。まず、読取部収納部２５ａや操作部収納部２５ｂにそれぞれ収納される前記読取ユニット２１（図２参照）等の各種部品が配設されたボトムシャーシ２７の側壁２８１の相欠き２８１ａに、操作パネル４が配された操作パネルカバー２６の側壁２６１の相欠き２６１ａを嵌合させて、操作パネルカバー２６をボトムシャーシ２７に仮固定する。そして、ボトムシャーシ２７のネジ受け部２７３に、操作パネルカバー２６の貫通孔２６５を介して、ネジ（不図示）を螺合させて、操作パネルカバー２６をボトムシャーシ２７に固定する。
【００３１】
次に、プラテンガラス２０の正面側端部を操作パネルカバー２６の段差部２６７の水平面２６７ａに、プラテンガラス２０の背面側端部を読取載置台カバー２８の係止部２８５の水平な上端面２８５ｃに、それぞれ載置し、この状態で、ボトムシャーシ２７の側壁２７１の相欠き２７１ａに読取載置台カバー２８の側壁２８１の相欠き２８１ａを、ボトムシャーシ２７の垂直壁下部２７２の相欠き２７２ａに読取載置台カバー２８の垂直壁上部２８２の相欠き２８２ａを、操作パネルカバー２６の凹条２６３に読取載置台カバー２８の凸条２８３を、それぞれ嵌合させて、プラテンガラス２０及び読取載置台カバー２８を操作パネルカバー２６及びボトムシャーシ２７に仮固定する。そして、ボトムシャーシ２７のネジ受け部２７５に、読取載置台カバー２８の貫通孔２８６を介して、ネジ（不図示）を螺合させて、読取載置台カバー２８を操作パネルカバー２６及びボトムシャーシ２７に固定する。このとき、プラテンガラス２０は、その正面側端部が操作パネルカバー２６の段差部２６７の水平面２６７ａと読取載置台カバー２８の天板２８０に挟持されており、安定的に固定される。
【００３２】
このように、プラテンガラス２０の正面側端部を操作パネルカバー２６の延伸部２６６に載置させた状態でプラテンガラス２０を取付けることができるので、前記従来の図７及び図８に示した画像読取装置９００のようにプラテンガラス９０２を貼り付けた読取載置台カバー９０８を反転させる作業を必要としないため、プラテンガラス２０の組付け性を向上させることができる。また、両面テープを用いる必要がないため、組付け時に両面テープの剥がれによる組付け効率の低下が発生せず、プラテンガラス２０の組付け性を向上させることができる。また、リサイクル時に両面テープを剥がす必要がないので、リサイクルを容易化させることができる。また、前記従来の画像読取装置９００のようにリブ９０７ａをボトムシャーシ２７に形成する必要がないため、ボトムシャーシ２７、ひいては画像読取装置１を小型化させることが可能となる。また、操作パネル４が配される操作パネルカバー２６を、プラテンガラス２０の正面側端部を載置させる部品として用いるので、部品を追加することなく、プラテンガラス２０の組付け性を向上させること等ができる。
【００３３】
なお、本発明に係る画像読取装置は、本発明の実施の形態として示した画像読取装置１に限定されるものではなく、本発明の要旨を逸脱しない範囲内で適宜設計変更できることは勿論である。例えば、コピー単体機、ファクシミリ単体機や、コピー機能やファクシミリ機能の他にプリンタ機能やスキャナ機能を兼ね備えた複合機であってもよい。
【図面の簡単な説明】
【００３４】
【図１】本実施の形態に係る画像読取装置１の外観構成を示す斜視図である。
【図２】画像読取装置１の上部の内部構成を示す断面図である。
【図３】読取載置台２の外観構成を示す斜視図である。
【図４】読取載置台２の構成を示す分解斜視図である。
【図５】図３に示したＡ−Ａ断面における断面図である。
【図６】図３に示したＢ−Ｂ断面における断面図である。
【図７】従来の画像読取装置９００の上部の外観構成を示す斜視図である。
【図８】図７に示したＡ−Ａ断面における断面図である。
【符号の説明】
【００３５】
１  画像読取装置
２  読取載置台
４  操作パネル
２０  プラテンガラス
２１  読取ユニット（画像読取手段）
２５  読取載置台ケーシング
２６  操作パネルカバー
２７  ボトムシャーシ
２８  読取載置台カバー
２６６  延伸部
２６７  段差（規制手段）
２７０  底板
２７１  側壁
２８０  天板
２８０ａ  開口部
２８５  係止部
【図１】
2007049340.tif 000003
【図２】
2007049340.tif 000004
【図３】
2007049340.tif 000005
【図４】
2007049340.tif 000006
【図５】
2007049340.tif 000007
【図６】
2007049340.tif 000008
【図７】
2007049340.tif 000009
【図８】
2007049340.tif 000010